(57)【要約】  吊下げプレートが、固定部（２）を含んだ複数の隣接した機能部分（２、１３、２４）に区分される。前記部分の各々は、該部分の２つを一組として互いに接近する方向に折曲げるための折曲領域（１０、１５）によって互いに区分される。前記折曲領域（１０）は、柔軟な紐状部材（２５）を受容する少なくとも１つの切欠部（１１、１２）によって弱められている。本発明は、特に、吊り天井を吊下げるために応用される。
2007537374.tif 000002
【特許請求の範囲】
【請求項１】
天井に固定するようにした吊下げプレートであって、固定部（２）を含んだ複数の隣接した機能部分（２、１３、２４）に区分され、前記部分の各々は、該部分の２つを一組として互いに接近する方向に折曲げ可能とするための折曲領域（１０、１５）によって互いに区分されて成る吊下げプレートにおいて、
前記折曲領域（１０）が、柔軟な紐状部材（２５）を受容する少なくとも１つの切欠部（１１、１２）によって弱められていることを特徴とした吊下げプレート。
【請求項２】
前記弱められ切欠が形成された折曲領域（１０）は、その２つの側縁部に２つの切欠部（１１、１２）が設けられている請求項１に記載のプレート。
【請求項３】
前記弱められ切欠が形成された折曲領域（１０）によって、前記固定部（２）が、隣接した部分（１３）から区分される請求項１または２に記載のプレート。
【請求項４】
少なくとも３つの部分（２、１３、２４）を具備した請求項１から３の何れか１項に記載のプレート。
【請求項５】
スリーブまたは矩形部材を形成するように配置された４つの部分（２、１３、２４、３５）を具備した請求項４に記載のプレート。
【請求項６】
ネジ手段（２６）を受容する部分（２４）が設けられている請求項１から５の何れか１項に記載のプレート。
【発明の詳細な説明】
【技術分野】
【０００１】
本発明は、部屋の天井に固定する吊下げプレートであって、特にフックや棒部材をネジその他によって固定または吊下げ可能とし、これによって、フックや棒部材が他の部材を吊下げるための手段となるようにした吊下げプレートに関する。
【背景技術】
【０００２】
これが関連する装置は、平板状の金属ブランクから切断加工およびスタンピング加工され、そして、屈曲領域によって区分けされる複数の機能部分、すなわち、固定部を形成する第１の部分、ネジ棒またはボルトを受容する部分とすることができる他の部分、および、フック等を受容する更に他の部分に区分される。
【０００３】
こうした装置は、先ず、吊下げブランクの固定部を固定し、次いで、前記固定部に隣接した部分を、通常、固定部に対して実質的に直角に折り返すように前記ブランクを折曲げ、そして、ブランクの隣り合った部分を順次折曲げるようにしている。
【０００４】
吊下げプレートは、一般的に、ガス、粉体または空圧式の釘打ち型の固定装置、或いは、手操作式の固定工具によって、天井に固定される。
【発明の開示】
【発明が解決しようとする課題】
【０００５】
吊下げブランクの様々な部分を所定の折曲領域に沿って、２つの部分を一組として（直角に）折曲げることによって、その正しい機能が決定される。この点、従来技術の吊下げ装置は、完全には満足に保証していない。更に、従来技術の装置は、常に、建設現場や公共事業現場で出会う異なる事業者によって使用される全ての手段の緩やかな使用条件で装置を固定したり、装置に引っ掛けたり、装置から吊下げ可能とする十分に普遍的な性質を常に持っているわけではない。
本発明は、こうした要求に応えることを目的としている。
【課題を解決するための手段】
【０００６】
従って、本発明は、天井に固定するようにした吊下げプレートであって、固定部を含んだ複数の隣接した機能部分に区分され、前記部分の各々は、該部分の２つを一組として互いに接近方向に折曲げ可能とするための折曲領域によって互いに区分されて成る吊下げプレートにおいて、前記折曲領域が、吊下げ要素の柔軟な紐状部材を受容する少なくとも１つの切欠部によって弱められていることを特徴とした吊下げプレートに関する。
【０００７】
吊下げ要素の柔軟な紐状部材は、基本的には、ケーブルループの紐や例えば吊り天井を吊下げるための他の吊下げワイヤを意味する。
【０００８】
折曲領域の２つの縁部に２つの切欠部を形成することが普通であろう。
本発明は、前記切欠部が２つの機能、つまり、ケーブルその他同様の要素を受容するためだけではなく、こうして、切欠かれ従って細くなった該折曲領域を脆弱にするために用いている点に注目すべきである。脆弱にすることによって、この切欠かれた折曲領域によって区分された２つの部分の一方の他方に対する折曲げは、例えば、フックを受容するための穴のような他の脆弱領域に沿ってずれることことなく、実際上この折曲領域に沿って確実に行われるとの利点がある。
【０００９】
本発明の吊下げプレートの好ましい実施形態では、切欠かれた折曲領域によって、固定部が、隣接する部分から区分される。
【発明を実施するための最良の形態】
【００１０】
添付図面を参照して以下に説明する本発明の吊下げプレートの幾つかの実施形態から本発明は、より良く理解されよう。
【００１１】
図１を参照して以下に説明する吊下げ装置は、板状の金属ブランクから切断加工され、かつ、３つの部分から成る矩形プレート１である。上記３つの部分の各々は、以下に説明するように、切断加工およびスタンピング加工される。
【００１２】
先ず、先端の丸コーナー部３、４および固定ボルトを通すための穴５、更に、スタンピング加工の前の、該プレートを天井に固定する工具のノーズ部（ポイントガイド部）に位置決め取付けるための２つの横タブ６、７、前記工具によって固定するための停止部８およびボス９を形成するように、第１の部分２が切り出される。次いで、プレートの部分２は、スタンピング加工によってタブ６、７、停止部８および固定プラグを受容するためのボス９が成形される。
【００１３】
固定部２に隣接した第２の部分１３もまた、該２つの部分２、１３の連結領域１０に２つの切欠部１１、１２が形成されるように切断加工される。従って、この領域１０は、細く脆弱となる。プレートのこの部分１３には、また、例えば吊下げ棒のフックを受承する長穴１４が切断加工される。
【００１４】
最後に、前記プレートは、領域１５沿いに部分１３に隣接した第３の部分２４を含んでいる。プレートのこの部分２４は、先端の丸コーナー部１６、１７、および、例えば吊下げ棒を通すための穴１８とを備えるように切断加工される。プレートのこの部分２４は、また、小穴１９を形成するようにスタンピング加工され、この小穴にはネジ棒を受容する雌ネジが形成される。領域１５には、停止補強部(stop reinforcements)２０、２１がスタンピング加工される。
【００１５】
プレートの上記部分の各対の連結領域１０、１５は、プレートの各部分を他方の部分へ接近する方向に折曲げるための折曲領域となっている。
本例では、元のプレートの第２と第３の部分１３、２４は、既に互いに接近する方向へ直角に折曲げられている。
【００１６】
以下、吊下げプレートの使用について説明する。
固定部２は、ボス９を通して固定されたプラグ、または、天井に固定されたピンを穴５に通してネジ式の固定手段によって部屋の天井に固定される。この固定方法は、従来の固定工具を用いて有利に実施され、そして、固定工具のノーズ部は、プラグによって固定する場合にタブ６、７の間に滑り入れられる。
【００１７】
プレートのこの部分２が天井に固定され、ねじ回しのような単純な工具または手によって天井に対して平坦に押圧された後、プレートの部分１３を部分２に対して直角に折曲げ、プレートの残りの部分を移動させる。この折曲操作は、当然ながら、前記切欠部によって弱められた折曲領域１０を中心として行われ、例えば、穴１４を通過する領域を中心としては行われない。この部分１３の折返しは正しく行われ、部分２に対して正確に９０°に配置することができる。
【００１８】
正しく折返されているということは、プレート２４は第２の部分２に対して平行、すなわち天井に対して平行となっていることを意味している。
【００１９】
吊下げ装置１が、固定され使用位置に配置されると、該装置は、ケーブルループ２５を、プレートの２つの部分２、１３の間の領域１０を取巻いて切欠部１１、１２に通したり、或いは、フックを備えた棒部材を穴１８、１４内に入れたり、或いは、ボルト２６やネジが形成された棒部材をプレートの部分２４の雌ネジを有した小穴１９に螺合することが可能となる。
【００２０】
図３に示す本発明の吊下げプレートの第２の実施形態３１は、３つの部分ではなく、スリーブまたは矩形部材を形成するようにした４つの部分を備えている。第２の実施形態は第４の部分３５のみが異なっており、該第４の部分は、吊下げ装置を補強し、かつ、プレートの第１と第３の部分をしっかりと取付け、完全に９０°の折曲げを確実にすることのみを意図している。図３において、図１と同様の手段には、同じ参照番号が付されている。プレートの２つの部分２、３５は、折曲領域３６によって互いに連結されている。
【図面の簡単な説明】
【００２１】
【図１】互いに接近する方向に幾分折曲げられた３つの部分を備えたプレートの斜視図である。
【図２】前記部分を他の部分に対して折返した後の図１のプレートを少し斜めに見た側面を、吊下げられたケーブルおよびプレートに取付けられたボルトと共に示す図である。
【図３】完全に折返した４つの部分を備えたプレートの斜視図である。
【符号の説明】
【００２２】
１    プレート
２    第１の部分（固定部）
１０    折曲領域
１１    切欠部
１２    切欠部
１３    第２の部分
１４    長穴
１５    折曲領域
２４    第３の部分
２５    ケーブルループ
３５    第４の部分
３６    折曲領域
【図１】
2007537374.tif 000003
【図２】
2007537374.tif 000004
【図３】
2007537374.tif 000005
【国際調査報告】
2007537374.tif 000006
2007537374.tif 000007
2007537374.tif 000008